(57)【要約】  太陽光の少なくとも一部を透過する太陽電池シート（１２）、透過型有機ＥＬシート（１６）、および太陽光の透過量を調節する調光部（１４）、を有する透過型薄膜太陽電池（１０）。
2017126683.tif 000002
【特許請求の範囲】
【請求項１】
太陽光の少なくとも一部を透過する太陽電池シート、透過型有機ＥＬシート、および、太陽光の透過量を調節する調光部、を有する透過型薄膜太陽電池。
【請求項２】
太陽光の入射側から、前記太陽電池シート、前記調光部、および前記透過型有機ＥＬシートを、この順に有する請求項１に記載の透過型薄膜太陽電池。
【請求項３】
太陽光の入射側から、前記太陽電池シート、前記透過型有機ＥＬシート、および前記調光部を、この順に有する請求項１に記載の透過型薄膜太陽電池。
【請求項４】
前記太陽電池シートが、選択的光透過性を有する請求項１〜請求項３のいずれか１項に記載の透過型薄膜太陽電池。
【請求項５】
前記選択的光透過性は可視光領域の光を透過する特性である請求項４に記載の透過型薄膜太陽電池。
【請求項６】
前記太陽電池シートが、有機太陽電池シートである請求項１〜請求項５のいずれか１項に記載の透過型薄膜太陽電池。
【請求項７】
前記太陽電池シートの太陽光の入射側とは反対側に、前記太陽電池シートを介して入射した光の波長を変換する波長変換部をさらに有する請求項１〜請求項６のいずれか１項に記載の透過型薄膜太陽電池。
【請求項８】
さらに、前記太陽電池シートを透過した透過光の光量を測定する光量測定手段を有し、前記光量測定手段により測定した透過光の光量が所定の光量に達しない場合に、前記透過型有機ＥＬシートにエネルギーを付与して発光させる、請求項１〜請求項７のいずれか１項に記載の透過型薄膜太陽電池。
【発明の詳細な説明】
【技術分野】
【０００１】  本開示は、透過型薄膜太陽電池に関する。
【背景技術】
【０００２】  自然エネルギーの利用として太陽光をエネルギー源とする太陽電池が注目されている。農業分野における太陽電池の活用技術としては、営農と太陽電池による太陽光発電とを両立する技術（いわゆるソーラーシェアリング）が検討されている。  ソーラーシェアリングの一態様として、透光性のない太陽電池（シリコン系太陽電池パネル）を農地に設置すること等が挙げられる。このとき、発電量の確保を考慮すれば、太陽電池パネルの設置面積は大きくすることが好ましい。しかし、太陽電池パネルにより農地に日陰ができるため、農作物への悪影響が懸念される。このため、現状では、農作物の収穫量の減少を抑えるために、ある程度の空間を担保して太陽光パネルが設置されることとなる。農作物の生育に適した日照量を確保するために必要な太陽電池パネルの設置面積は、農地全体の３０％程度と試算されており、現状では、発電と農業の両立において農地が十分有効に利用されているとは言い難い。【０００３】  従来の太陽電池を農地に利用する技術としては、例えば、農耕地の一部に太陽電池パネルを設置し、該太陽電池パネルで得られる電力で補助光源を駆動し、農地の他部で栽培する植物に、太陽光とともに前記補助光源から発する補助光を照射して生育させる植物栽培方法が提案されている（特開２０１１−２００１６３号公報参照）。【０００４】  また、太陽光放射のない場合、補助の照射光が使用される温室が提案されている。すなわち、第１波長領域では実質的に透光性である薄膜太陽電池モジュールであって、太陽放射を受け取り、第１波長領域とは異なる第２波長領域中の太陽放射を電気エネルギーへ変換するように構成された光電層と、光電層により透過された第２波長領域の放射を選択的に反射するように、光電層に対向して配置された選択的反射層と、第２波長領域における放射を吸収して、電気エネルギーへ変換する追加の光電層とを備え、選択的反射層が光電層と追加の光電層との間に配置され、第１波長領域が３５０〜５００ｎｍの第１の波長バンドと６００〜７００ｎｍの第２の波長バンドとを含み、第２波長領域が５００〜６００ｎｍの波長範囲を含む、前記薄膜太陽電池モジュールが開示されている（特表２０１４−５２２１０１号公報参照）。【０００５】  また、太陽光などの外光の一部、具体的には植物の光合成への寄与が小さい波長の光を吸収し光合成への寄与の大きい波長の光に変換する蛍光体と、蛍光体から放射された光の一部を誘導する蛍光導光体と、蛍光導光体を受光する太陽電池素子とを有する採光部を備える植物栽培装置が提案されている（国際公開ＷＯ２０１２／１４１０９１パンフレット）。
【発明の概要】
【発明が解決しようとする課題】
【０００６】  しかし、特開２０１１−２００１６３号公報に記載の技術では、農地を太陽電池の設置と作物栽培とでシェアしているため太陽電池を設置した部分では作物栽培ができず、発電量の最大化を追求した場合、農作物の生育に必要な日照量を確保できず、農地としての機能が損なわれるおそれがある。  一方、特表２０１４−５２２１０１号公報に記載の技術では、透光性の薄膜太陽電池モジュールを温室に使用し、太陽光の波長を発電と光合成とに分けて利用することが開示されている。また、特表２０１４−５２２１０１号公報では、５００ｎｍ〜６００ｎｍの波長を選択的に反射し、電気エネルギーに変換しているが、光合成に寄与する波長の光に変換することの提案はなされていない。【０００７】  本発明の一実施形態の目的は、調光機能と透過型有機ＥＬシートとを有し、太陽光の強度に拘わらず、太陽電池の下の光環境を所望の状態に制御することができる透過型薄膜太陽電池を提供することにある。
【課題を解決するための手段】
【０００８】  課題を解決するための手段は、以下の実施形態を含む。  ＜１＞  太陽光の少なくとも一部を透過する太陽電池シート、透過型有機ＥＬ（エレクトロルミネッセンス）シート、および、太陽光の透過量を調節する調光部、を有する透過型薄膜太陽電池。  ＜２＞  太陽光の入射側から、前記太陽電池シート、前記調光部、および前記透過型有機ＥＬシートを、この順に有する＜１＞に記載の透過型薄膜太陽電池。  ＜３＞  太陽光の入射側から、前記太陽電池シート、前記透過型有機ＥＬシート、および前記調光部を、この順に有する＜１＞に記載の透過型薄膜太陽電池。【０００９】  ＜４＞  前記太陽電池シートが、選択的光透過性を有する＜１＞〜＜３＞のいずれか１つに記載の透過型薄膜太陽電池。  ＜５＞前記選択的光透過性は可視光領域の光を透過する特性である＜４＞に記載の透過型薄膜太陽電池。  ＜６＞  前記太陽電池シートが、有機薄膜太陽電池シートである＜１＞〜＜５＞のいずれか１つに記載の透過型薄膜太陽電池。【００１０】  ＜７＞  前記太陽電池シートの太陽光の入射側とは反対側に、前記太陽電池シートを介して入射した光の波長を変換する波長変換部をさらに有する＜１＞〜＜６＞のいずれか１項に記載の透過型薄膜太陽電池。【００１１】  ＜８＞  さらに、前記太陽電池シートを透過した透過光の光量を測定する光量測定手段を有し、前記光量測定手段により測定した透過光の光量が所定の光量に達しない場合に、前記透過型有機ＥＬシートにエネルギーを付与して発光させる＜１＞〜＜７＞のいずれか１つに記載の透過型薄膜太陽電池。
【発明の効果】
【００１２】  本発明の一実施形態によれば、調光機能を有し、太陽光の受光量に係わらず、所望の光環境を維持することができる透過型薄膜太陽電池を提供することができる。
【図面の簡単な説明】
【００１３】
【図１】本開示の透過型薄膜太陽電池の一例である第１の実施形態の構成を示す概略断面図である。
【図２】本開示の透過型薄膜太陽電池の別の例である第２の実施形態の構成を示す概略断面図である。
【図３】波長変換部を更に有する本開示の透過型薄膜太陽電池の一例である第３の実施形態構成を示す概略断面図である。
【図４】日中の太陽光の光量が大きい場合における薄膜太陽電池３０の使用態様および光の状態を示す概略図である。
【図５】日中の太陽光の光量が適度な場合における薄膜太陽電池３０の使用態様および光の状態を示す概略図である。
【図６】好天の日中、朝又は夕方に、必要に応じて太陽光の透過光量を制御する場合における薄膜太陽電池３０の使用態様および光の状態を示す概略図である。
【図７】夜間、太陽光が照射されない場合における薄膜太陽電池３０の使用態様および光の状態を示す概略図である。
【図８】雨天または曇天時、太陽光の光量が比較的小さい場合における薄膜太陽電池３０の使用態様および光の状態を示す概略図である。
【図９】実施例１の透過型薄膜太陽電池１の透過光の分光放射照度を示すグラフである。
【図１０】実施例１の透過型薄膜太陽電池１の、太陽光の照射下で測定した電流−電圧特性を示すグラフである。
【図１１】波長変換部を有する実施例２の透過型薄膜太陽電池２の透過光の分光放射照度を示すグラフである。
【発明を実施するための形態】
【００１４】  以下、本発明の実施形態を詳細に説明する。  なお、本明細書において「〜」を用いて示された数値範囲は、「〜」の前後に記載される数値をそれぞれ最小値および最大値として含む範囲を示す。
【００１５】  本開示の透過型薄膜太陽電池（以下、単に「薄膜太陽電池」と称することがある）は、太陽光の少なくとも一部を透過する太陽電池シート（以下、単に「太陽電池シート」と称することがある）、透過型有機ＥＬシート（以下、単に「有機ＥＬシート」と称することがある）、および、太陽光の透過量を調節する調光部（以下、単に「調光部」と称することがある）を有する。薄膜太陽電池は、太陽電池シート、有機ＥＬシートおよび調光部を有し、必要に応じて、さらに他の部材を有してもよい。  なお、本明細書に説明する薄膜太陽電池の各実施形態において、薄膜太陽電池を構成する部材を「この順に有する」とは、当該部材を各実施形態における所定の構成順に有することを意味し、それ以外の任意の部材を有することを妨げない。
【００１６】  以下、薄膜太陽電池の構成について図を参照して説明する。  図１は、第１の実施形態の薄膜太陽電池１０の層構成を示す概略断面図である。  本実施形態の薄膜太陽電池１０は、太陽光の受光側から、太陽電池シート１２、調光部１４、および有機ＥＬシート１６をこの順に有する。なお、太陽光の受光側を、図１に矢印で示す。  薄膜太陽電池１０の受光側とは反対側に、光環境が調整又は制御される領域がある（以下、光環境が調整又は制御される領域を、「光環境調整領域」と称することがある。なお、図１おいて、薄膜太陽電池１０の受光側とは反対側における（Ａ）で示される領域が、光環境調整領域の一例である。図示はされないが、図２、図３においても、薄膜太陽電池２０、３０の受光側とは反対側の領域が、図１において（Ａ）で示される領域と同様の光環境調整領域となる。  光環境調整領域としては、例えば、植物を育成するビニールハウス、太陽光利用型植物工場、家禽、豚などの動物を育成する鶏舎、畜舎、魚類の養殖場などの、薄膜太陽電池の受光側とは反対側における領域が挙げられる。
【００１７】  太陽電池シート１２は、太陽光の少なくとも一部を透過するため、太陽電池シート１２を透過した光（透過光）は調光部１４に到達する。さらに、透過光は、調光部１４を透過して有機ＥＬシート１６に到達し、さらに有機ＥＬシート１６を透過して光環境調整領域に到達する。調光部１４は、光環境調整領域に到達する透過光の量を調節する。  例えば、太陽光が強過ぎて、葉物野菜等が日焼けを起こすような光量であるときは、調光部１４により太陽光の透過光を所望の光量まで低下させることができる。  夜間、曇天時あるいは太陽光の光量を低下させる必要がない場合には、調光部１４は光量調整を行なわず、受光した光をそのまま透過させる。  調光部１４に、後述するように、クロミック材料を用いる場合には、光量計などのセンサーを用いなくても、調光部１４自体が、受光量に応じて変色し、光透過性を制御することができる。しかし、調光部１４は、クロミック材料を用いた態様に限定されるものではない。
【００１８】  有機ＥＬシート１６は、エネルギーを付与されることで発光する。太陽光の光量が少ない場合には、有機ＥＬシート１６にエネルギーを付与して発光させ、植物などに必要な光量を供給する。有機ＥＬシート１６へ付与するエネルギーは、既述の太陽電池シート１２で発電された電力を用いてもよく、外部電源より電力として供給されたエネルギーであってもよい。
【００１９】  第１の実施形態の薄膜太陽電池１０によれば、照射される太陽光の光量が多い場合には、太陽電池シート１２による発電が効率よく行なわれ、調光部１４が必要以上の太陽光透過を抑制するため、光環境調整領域には、設計値どおりの光量が到達する。他方、照射される太陽光の光量が少ない場合には、調光部１４は太陽光の透過を抑制せず、かつ、有機ＥＬシート１６が発光して光環境調整領域に所望の波長の光を必要な光量で供給することができる。  このため、本実施形態の薄膜太陽電池１０を、例えば、ビニールハウスにおいて、屋根シートなどの樹脂シートとともに、あるいは屋根シートに代えて適用すると、ビニールハウス内に光環境調整領域ができ、天候に拘らず、光環境が所定の条件に制御され、植物の成長に好適な光量が供給される。
【００２０】  本実施形態の薄膜太陽電池１０には、さらに、太陽電池シート１２に入射し、太陽電池シート１２を透過した透過光の光量を測定する光量測定手段（不図示）を有していてもよい。光量測定手段として、植物の光合成にとっての光環境の測定に用いられる照度計、あるいは光合成有効波長領域に感度を有する光量子センサー等が好ましく使用される。かかる光量測定手段を有することで、透過光の光量が、例えば、植物の育成に必要な量に達していない場合に、有機ＥＬシート１６にエネルギーを付与して発光させるよう設計することができる。薄膜太陽電池が、光量測定手段と、光量測定手段により測定された結果を予め設定した値と比較及び判定を行う判定手段と、かかる判定手段による判定に従って有機ＥＬシートへのエネルギー付与に反映させる反映手段と、波長変換素子とを備えることで、有機ＥＬシート１６の発光を制御することができ、光環境調整領域の光環境を容易かつ精密に制御できる。  また、有機ＥＬシート１６を発光させるエネルギーに、太陽電池シート１２により発電されたエネルギーを蓄電して、必要に応じて適用することで、好適な光環境を維持するに際しての省エネルギー効果も期待できる。  なお、薄膜太陽電池の構成は、第１の実施形態に限定されない。
【００２１】  図２は、薄膜太陽電池の第２の実施形態を示す概略断面図である。図２に示す第２の実施形態の薄膜太陽電池２０では、太陽光の受光側から、太陽電池シート１２、有機ＥＬシート１６、および調光部１４をこの順に有する。本実施形態では、太陽電池シート１２を透過した光は、有機ＥＬシート１６を透過光環境調整領域に供給される。有機ＥＬシート１６は、供給される光量が不足した場合、エネルギーの付与により発光する。調光部１４では、太陽電池シート１２を透過した太陽光と、有機ＥＬシート１６にて発光した光の双方について、調整可能とすることで、光環境調整領域に到達する光量を好適に制御する。
【００２２】  以下、本開示の薄膜太陽電池が備え得る各部材について詳細に説明する。
【００２３】（太陽光の少なくとも一部を透過する太陽電池シート：太陽電池シート）  本実施形態の薄膜太陽電池１０および２０に用いられる太陽電池シート１２は、太陽光の少なくとも一部を透過する太陽電池シートであれば特に制限はない。太陽光の少なくとも一部を透過する太陽電池シートとしては、例えば、有機半導体を用いた有機薄膜太陽電池シート、色素増感太陽電池、ペロブスカイト太陽電池、有機無機ハイブリッド型太陽電池、タンデム型太陽電池、ＣｕＯ型太陽電池等が挙げられる。また、太陽電池シートは、シリコン型、化合物半導体等を用いた無機太陽電池シートであってもよい。  太陽電池シートとしては、可撓性を有し、塗布で製造可能であるため製造コストが低く、大型化に有利であるという観点から、有機薄膜太陽電池シートが好ましく、有機半導体を用いた透過型太陽電池シート等がさらに好ましい。  有機薄膜太陽電池シートの光透過および吸収波長は、いずれも材料の選択により適宜設定することができる。  本明細書において、太陽電池シートが、「太陽光の少なくとも一部を透過する」とは、太陽電池シートが、太陽光の全光のうち、少なくとも一部を透過させて、太陽電池シートの受光側とは反対側へ透過させること意味する。  太陽光の少なくとも一部とは、例えば、太陽光において、全光のうち、可視光領域、紫外光領域、赤外光領域の少なくともいずれかの波長の光、太陽光の全光のうち、光量の少なくとも一部の光などを指す。
【００２４】  太陽電池シートは、選択的光透過性を有すること、言い換えれば、光環境調整領域に好適な特定の波長の光を選択的に透過させ得ることが好ましい。  例えば、光環境調整領域に置いて植物を栽培する場合には、上記のなかでも、太陽電池シートの選択的光透過性が、植物の成長に有用な可視光領域（４００ｎｍ〜７００ｎｍ）の波長の光を透過する特性であることが好ましい。  太陽電池シートは、受光面にあたる光の一部を透過し、残りは、散乱されたり、或いは、太陽電池シートに吸収されて発電に使用されたりする。  太陽電池シートに用いられる材料を選択することにより、特定の光の波長を選択的に透過したり、吸収したりするため、透過させる光の量と変換効率を調整できる。  本開示好ましい態様では、太陽電池シートが選択的光透過性を有するが、その場合には、本開示の薄膜太陽電池自体もまた、選択的光透過性を有することになり、薄膜太陽電池の受光側とは反対側の光環境調整領域に対し、選択的に好ましい光量及び好ましい波長の少なくともいずれかの光を到達させ得ることはいうまでもない。
【００２５】  太陽電池シートが太陽光の少なくとも一部を透過する場合の、透過率は、特に限定されないが、薄膜太陽電池の入射光に対する透過率が１０％以上であることが好ましく、３０％以上であることがより好ましい。  透過率は、例えば、薄膜太陽電池の受光側とは反対側の透過光について、予め定められた波長領域における分光放射照度を分光放射計にて測定し、入射光（太陽光）の分光放射照度に対する比率を測定することにより算出できる。
【００２６】  太陽電池シート１２の選択的光透過性の好ましい態様としては、例えば農業用途で植物栽培に用いる場合、光合成に大きく寄与する透過波長４００ｎｍ以上５００ｎｍ未満（青色）および透過波長６００ｎｍ以上８００ｎｍ未満（赤色）の少なくともいずれか一方の光を透過することが好ましい。可視光領域に吸収をもつ薄膜太陽電池であれば、透過波長４００ｎｍ以上５００ｎｍ未満（青色）および透過波長６００ｎｍ以上８００ｎｍ未満（赤色）の少なくともいずれかにおける光透過率が大きく、透過波長５００ｎｍ以上６００ｎｍ未満（緑色）の光が、太陽電池シートに吸収されて発電に利用されることが好ましい。
【００２７】  既述の態様、即ち、選択的光透過性として青色領域及び赤色領域の少なくともいずれかの領域における良好な光透過性を有する太陽電池シートを選択することにより、有用な波長の太陽光による植物の育成効果を損なわず、発電を行なうことができる。  また、太陽電池シートが選択的光透過性を有する場合、例えば、ある種の動植物に有害な紫外線を吸収して発電することにより、光環境調整領域への紫外線到達を抑制し、光環境調整領域における光環境を、動植物により適するものとすることができる。
【００２８】  太陽電池シート１２の厚みは、太陽光の少なくとも一部を透過しうる限り、特に制限はない。例えば、１００μｍ〜５００μｍのシートから、目的に応じた厚みのシートを選択して用いることができる。  太陽電池シート１２は、市販品を用いることができる。市販品としては、三菱化学株式会社のジオア太陽光発電システムにおける有機太陽電池などが挙げられる。
【００２９】（透過型有機ＥＬシート：有機ＥＬシート）  薄膜太陽電池１０および２０は、有機ＥＬシート１６を有する。  有機ＥＬシート１６は、太陽光の少なくとも一部を透過しうるシートであれば特に制限なく、公知の有機ＥＬシートを適宜選択して使用することができる。有機ＥＬシート１６は、可撓性を有するシートであることが好ましい。  なお、「太陽光の少なくとも一部を透過しうる」とは、既述の太陽電池シートにおいて述べたのと同様のことを意味し、有機ＥＬシートは、太陽電池シートが透過する光の少なくとも一部を透過させ得ることが好ましい。  有機ＥＬシート１６は、両面発光型でも、片面発光型でもよい。なかでも、発光された光が光環境調整領域に直接到達して効率よく使用されるという観点から、片面発光型が好ましい。  有機ＥＬシート１６は、薄膜太陽電池１０または２０に一体に積層されていてもよい。
【００３０】  既述のように、有機ＥＬシート１６の発光に適用される電力は、外部電源より、供給してもよく、太陽電池シート１２で発電した電力を蓄電したものを電源として発光させてもよい。有機ＥＬシート１６の発光エネルギーとして、その少なくとも一部として太陽電池シート１２による発電エネルギーを使用することで、本実施形態の薄膜太陽電池のランニングコストをより低減することができ、好ましい。
【００３１】  有機ＥＬシートとしては、一対の電極間に、発光層または発光層を含む複数の有機層を有する有機ＥＬシートが挙げられる。  有機ＥＬシート１６では、様々な発光ドーパントを発光層に混合させることによって発光色を変えることができる。このため、例えば、植物の生育に寄与する波長域の光を発光する有機ＥＬシート１６を作製することができる。また、有機ＥＬシート１６は面発光なので、発光ダイオード（ＬＥＤ）光源の如き点光源とは異なり、光ムラができ難いという特徴があり、光ムラによる植物の生育ムラを防止することができる。また、消費電力も少ないというメリットもある。さらに、本実施形態において使用される透過型有機ＥＬシートは、発光していない場合には、太陽光を透過させ、植物に必要な太陽光を供給可能であることが好ましい。
【００３２】  有機ＥＬシートのより具体的な例としては、例えば、透明電極（酸化インジウム錫：ＩＴＯ）付のポリエチレンナフタレート（ＰＥＮ）フィルム上に、Ｎ，Ｎ’−ジナフチル−Ｎ，Ｎ’−ジフェニルベンジジジン（α−ＮＰＤ）を正孔輸送層、トリス（８−ヒドロキシキノリナト）アルミニウム（Ａｌｑ３）を電子輸送性発光層、上部電極としてＧａ−Ｚｎ−Ｏ（ＧＺＯ）を透明電極として有する可視光透過型の有機ＥＬシートが挙げられる。
【００３３】（太陽光の透過量を調節する調光部：調光部）  実施形態の薄膜太陽電池１０および２０は、調光部１４を備える。調光部１４は、太陽光の透過量を調節することができる限りにおいて、特に材料、構成に制限はない。調光部１４としては、例えば、受光量に応じて色が変化するクロミック材料のシート、液晶フィルム、遮光性を有する開閉可能なブラインド、遮光性を有する着脱可能な布帛、液体流路を有する部材であって流路に半透明或いは遮光性の液体を供給することで光透過性を制御する部材などが挙げられるが、これらに限定されない。
【００３４】  なかでも、特に光量を測定して、その結果に応じて調光操作を必要とせず、光量を一定に維持することができるという観点から、調光部１６としては、クロミック材料を備える調光部が好ましい。クロミック材料としては、公知のクロミック材料、例えば、フォトクロミック材料、ガスクロミック材料、エレクトロクロミック材料等が好ましく挙げられる。  また、市販の調光デバイスを、そのまま調光部として採用することもできる。
【００３５】（任意の部材）  実施形態の薄膜太陽電池は、太陽電池シート、有機ＥＬシート、および調光部に加え、任意の部材をさらに有していてもよい。  任意の部材としては、例えば、太陽光の少なくとも一部を、植物の光合成に適する或いは、光合成を抑制する波長の光に変換する波長変換部、薄膜太陽電池の物理的強度を向上させるための補強シート、隣接するシートまたは部材同士の接着性を向上させる接着層、太陽電池への水分の浸入、酸素透過等を抑制する封止材、保護シート等が挙げられる。
【００３６】（波長変換部）  実施形態の薄膜太陽電池は、太陽光の入射側とは反対側に、太陽電池シートを介して入射した光（透過光）の波長を変換する波長変換部をさらに有することが好ましい。  薄膜太陽電池が波長変換部を備えることで、太陽電池シート或いは有機ＥＬシートにより吸収される、植物の光合成に有効な波長域の光を補強したり、動植物に有害な紫外線等を吸収し、光環境調整領域への到達量を抑制したりすることができる。  波長変換部は、例えば、太陽光のうち、有害な紫外線や青色光領域の光を吸収して、有用な可視光線に変換し、植物の光合成反応に有用な波長域の光を蛍光として放射することが好ましく、したがって、２５０ｎｍ〜６５０ｎｍの波長域の光を吸収して、波長域４５０ｎｍ〜７００ｎｍの蛍光を発するものが好ましい。蛍光発光波長域がこの範囲内であれば、薄膜太陽電池を植物の育成に使用する場合、十分な植物に対する光合成の促進効果を得ることができる。
【００３７】  波長変換部としては、例えば、特許第５５０５６３０号公報に記載の蛍光放射性ネット、或いは、蛍光放射性シートが好ましく挙げられる。  蛍光放射性ネット或いは蛍光放射性シートは、波長域２５０〜３２０ｎｍの紫外線を減衰させることができる。蛍光放射性ネット或いは蛍光放射性シートは、いずれもネットまたはシートを形成しうる熱可塑性樹脂と蛍光染料、蛍光顔料などの蛍光色素とを含有する。蛍光色素としては、例えば、ペリレン系色素、ピレン系色素、キサンテン系色素、チオキサンテン系色素、クマリン色素などが挙げられる。蛍光色素は１種のみを用いてもよく、目的に応じて２種以上を併用してもよい。
【００３８】  本実施形態の薄膜太陽電池１０には、さらに、太陽電池シート１２に入射し、太陽電池シート１２を透過した透過光の光量を測定する光量測定手段を有することができる。  光量測定手段として、植物の光合成にとっての光環境の測定に用いられる照度計、あるいは光合成有効波長領域に感度を有する光量子センサー等が挙げられる。かかる光量測定手段を有することで、透過光の光量が所定の量に達していない場合に、有機ＥＬシート１６にエネルギーを付与して発光させるよう設計することができる。
【００３９】  図３は、波長変換部を備える薄膜太陽電池の第３の実施形態を示す概略断面図である。図３に示す薄膜太陽電池３０は、図１に示す薄膜太陽電池１０が波長変換部１８をさらに備えた構成を有する。  図３に示す薄膜太陽電池３０は、受光側から、太陽電池シート１２、調光部１４、有機ＥＬシート１６および波長変換部１８をこの順に備える。  植物の育成を例に挙げれば、第３の実施形態の薄膜太陽電池３０では、太陽光のうち、植物の光合成に有用な波長帯域の光は、薄膜太陽電池３０を透過して植物に到達する。光合成に有用ではない波長帯域の光の一部は、太陽電池シート１２において発電に用いられる。また、光合成に有用ではない波長帯域の光の一部は、波長変換部１８に到達し、波長変換部で所望の波長の光、例えば、光合成に必要な波長帯域の光に変換されて植物に照射され、光合成に必要な波長帯域の光が補強される。  第３の実施形態の薄膜太陽電池３０においても、夜間、雨天、曇天時等の太陽光が十分に照射されない場合には、太陽電池シート１２により発電され、蓄電された電力あるいは外部電源から供給される電力を使って有機ＥＬシート１６が発光することにより、植物の光合成に必要な光量を確保することができる。
【００４０】  波長変換部１８を有する薄膜太陽電池の構成は、図３に示す態様には限定されず、例えば、受光側から、太陽電池シート１２、調光部１４、波長変換部１８および有機ＥＬシート１６をこの順に備える態様、受光側から、太陽電池シート１２、有機ＥＬシート１６、調光部１４、および波長変換部１８をこの順に備える態様。太陽電池シート１２、有機ＥＬシート１６、波長変換部１８および調光部１４をこの順に備える態様であってもよい。なお、光環境の制御を行なうための選択の幅が拡がるという観点からは、波長変換部１８を有する場合、図３に示す薄膜太陽電池３０の構成であることが好ましい。
【００４１】  第３の実施形態の薄膜太陽電池によれば、太陽光の透過性の制御、太陽電池シートによる発電、有機ＥＬシートによる光照射、そして、好適な態様においては、さらに波長変換部による必要な波長帯域の光の補強を組み合わせることで、目的とする光環境を長時間に亘り維持することができる。また、光環境を所望により調整することができるため、その応用範囲は広い。
【００４２】  以下、図３に示す第３の実施形態の薄膜太陽電池３０を植物栽培に使用した場合の例を挙げ、詳細に説明する。  図４は、真夏の好天の日中等、太陽光の光量が大きい場合の薄膜太陽電池３０の使用態様および光の状態を示す概略図である。以下の図４〜図８では、光を（ａ）〜（ｆ）の符号を付した矢印または矩形で表し、矢印又は矩形で区画された領域の面積は光量を模式的に示している。  図４〜図８において、薄膜太陽電池３０の受光側と反対側の、模式的に植物が記載されている領域が、図１において（Ａ）で示す光環境調整領域に相当する。  図４中、（ａ）の領域は太陽からの照射光の内、植物の生育に寄与する太陽光を示し、（ｂ）で示す領域は調光部１４により減光された植物の生育に寄与する太陽光を示し、（ｃ）で示す領域は、植物の生育にあまり寄与しない太陽光の一部で太陽電池シート１２に吸収され、発電に供される太陽光を示す。（ｄ）で示す領域は、植物の生育にあまり寄与しない太陽光の一部を示し、（ｅ）は、（ｄ）で示す光が調光部１４により減光され、波長変換部１８において蛍光色素に吸収される光を示し、（ｆ）は、波長変換部１８を介して波長変換され、植物の光合成に大きく寄与する光を示す。
【００４３】  図４に示すように、真夏の好天の日中は太陽光が強過ぎるので、育成される植物が日焼けを起こすような葉物野菜等である場合には、図４に示すように、植物の生育に寄与する太陽光（ａ）の一部が調光部１４にて遮光され、植物の育成に適する光量とされた残部（ｂ）が調光部１４および透明な有機ＥＬシート１６を通過して植物に照射され、植物の育成に供される。  植物の光合成にあまり寄与しない波長域の光（ｃ）は、太陽電池シート１２に吸収され、発電に使用される。植物の光合成にあまり寄与しない波長域の光のうち一部（ｄ）は、調光部１４にて減光され、波長変換部１８に吸収される光（ｅ）であり、波長変換部１８にて波長変換され、植物の光合成に大きく寄与する光（ｆ）として植物に照射される。  図４に示す如き、光環境が植物の育成に好適な場合、有機ＥＬシート１６は発光を行なわない。
【００４４】  図５は、好天の日中における太陽光の光量が適度な場合の薄膜太陽電池３０の使用態様および光の状態を示す概略図である。  図５中、（ａ）、（ｃ）、（ｄ）および（ｆ）は図４に示すのと同様の光を示す。  図５に示すように、好天の日中で太陽光の光量が適度な場合には、調光部１４による遮光は行わない。  植物の生育に寄与する太陽光（ａ）は、調光部１４および透明な有機ＥＬシート１６を通過して植物の育成に十分な量で植物に照射される。植物の光合成にあまり寄与しない波長域の光（ｃ）は、太陽電池シート１２に吸収され、発電に使用される。また、植物の光合成にあまり寄与しない波長域の光のうち一部（ｄ）は、波長変換部１８を介して、植物の光合成に寄与する波長の光（ｆ）に変換され、植物に照射される。その結果、植物の育成に有用な光環境を維持することができる。  図５に示す如き、光環境が植物の育成に好適な場合、有機ＥＬシート１６は発光を行なわない。
【００４５】  図６は、薄膜太陽電池３０の調光部１４により植物に照射される光量を調整する場合の使用態様および光の状態を示す概略図である。  図６中、（ａ）および（ｂ）は図４に示すのと同様の光を示す。  夏季のように日照時間が長い場合、朝、夕の予め決められた時間帯に調光部１４により太陽光（ａ）を遮光することで、調光部１４および透明な有機ＥＬシート１６を通過して植物に照射される光（ｂ）をほぼ０とすることにより、太陽光の照射時間を制御する短日処理を行なって、所望の日照時間を得ることができる。  また、図４と同様に、太陽光のうち、植物の光合成にあまり関与しない波長域の光（ｃ）は、太陽電池シート１２に吸収され、発電に使用される。
【００４６】  図７は、夜間等、太陽光が照射されない場合の薄膜太陽電池３０の使用態様および光の状態を示す概略図である。図６中、（ｇ）は有機ＥＬシート１６にて発光した光を示す。  図７に示すように、太陽光が得られない夜間、或いは、日照時間が短い冬期の朝または夕刻においても、必要に応じて有機ＥＬシート１６から供給される光（ｇ）が植物に照射され、植物の育成に有用な光（ｇ）の植物への照射を、任意の時間に亘り継続することができる。この方法を適用することで、長時間、一定の光量を照射することにより、植物の育成を促進することができる。また、一日の間の必要な時間に継続して一定の光量を照射することもできる。
【００４７】  次に、曇天または雨天時における第３の実施形態の薄膜太陽電池３０の態様について説明する。なお、（ａ）〜（ｇ）の符号は、図４〜図７に示すのと同様の光を示している。
【００４８】  図８は、雨天または曇天の日中における薄膜太陽電池３０の使用態様および光の状態を示す概略図である。  図８に示すように、雨天または曇天の日中においても、僅かではあるが植物の生育に寄与する太陽光（ａ）は照射されている。植物の生育に寄与する太陽光（ａ）の受光量が少ないため、調光部１４では遮光を行なわず、受光した太陽光（ａ）は、調光部１４および透明な有機ＥＬシート１６を通過して植物に照射される。太陽光のうち植物の光合成にあまり寄与しない波長域の光（ｃ）は太陽電池シート１２に吸収され、発電に使用される。  一方で、太陽光の受光量が少ないと、植物の育成に十分な光量が得られないため、有機ＥＬシート１６にエネルギーを付与して発光させ、有機ＥＬシート１６が発光した光（ｇ）が、植物に照射される。その結果、太陽光の照射量が少ない、雨天又は曇天時においても、植物の育成に有用な光環境を維持することができる。なお、有機ＥＬシート１６が発光した光（ｇ）の一部は、波長変換部１８を介して、植物の光合成により大きく寄与する波長に変換されて植物に照射されることがある。  図４〜図８に記載の例より、本実施形態の薄膜太陽電池３０を用いることで、一日を通して、季節を問わず、或いは、好天、曇天、雨天等の天候に拘らず、植物の育成に好適な光環境を維持することができることがわかる。
【００４９】  既述の本実施形態の薄膜太陽電池を農作物の育成に用いる場合、例えば、調光部を操作して、朝から夕刻において、日射量が多い場合に遮光する調光機能と、昼間において日射量が少ない場合および夜間の有機ＥＬシートによる照明とを組み合わせることにより、太陽光利用型植物工場、ビニールハウス等において、季節による日照時間の変動に関わらず、農作物に毎日一定時間、所望の照度の光を供給することができる。  これにより、農作物の生育、出荷等のタイミングを制御することが可能となり、計画生産による高収益農業の実現を図ることができる。  公知の人工光型植物工場では、例えば、ＬＥＤ光源などの光照射にかかるエネルギーは１００％外部より供給される電気エネルギーである。これに対し、本実施形態の薄膜太陽電池では、太陽光をそのまま利用することができ、さらに農作物の育成に寄与しない波長帯域の光を用いて発電できるため。コストの低減を図ることができる。  本実施形態の薄膜太陽電池は調光部を有するため、調光機能により、真夏の過度な光を遮光し、温室内の温度の所望されない上昇、農作物への光障害等を効果的に抑制することができる。
【００５０】  植物育成工場、ビニールハウスなどに本実施形態の薄膜太陽電池を使用する場合、設備の全てに薄膜太陽電池を使用する必要はなく、太陽光の受光面の少なくとも一部に、薄膜太陽電池を適用するのみであっても本開示効果を奏する。一方で、太陽光の受光面の全領域に本開示の薄膜太陽電池を用いることができるため、大面積での発電が可能となり、発電した電力を外部に供給することもできる。  なお、既述のように、公知の光を透過しない太陽電池パネルでは、植物の育成環境を維持するためには、農地の総面積の３０％程度の使用が限度であるが、本開示の薄膜太陽電池では、農地の総面積の１００％に設置が可能であり、太陽電池シートによる発電効率が、従来の固定式無機太陽電池パネルの発電効率よりも若干低い場合であっても、総発電量はより大きくなることが期待される。
【００５１】  また、農作物などの植物のみならず、鶏舎、畜舎、魚類の養殖池などに本開示の薄膜太陽電池を使用することで、生育環境を、動物の成育に好適な光環境に制御することができる。さらに、宇宙空間での利用、例えば、スペースコロニーで人間が生活する際に、本開示の薄膜太陽電池を適用することで、好適な光環境を制御することが期待される。
【実施例】
【００５２】  以下に本開示の薄膜太陽電池を、実施例を挙げて詳細に説明するが、本開示の薄膜太陽電池は以下に示す実施例に限定されるものではない。【００５３】［実施例１］  太陽光の受光側から、太陽電池シート、調光部、および有機ＥＬシートをこの順に備える図１に示す層構成の薄膜太陽電池１を作製した。各部材の詳細は以下の通りである。【００５４】  太陽電池シート：（有機薄膜太陽電池シート）Ｐｏｗｅｒ  Ｐｌａｓｔｉｃ、Ｍｉｄｉｕｍ  Ｒｅｄ：Ｋｏｎａｒｋａ社  調光部：調光フィルム（ＬＣＦ−１１０３ＤＨＡ、日立化成（株））  有機ＥＬシート：透明電極（ＩＴＯ）付のＰＥＮフィルム上に、α−ＮＰＤを正孔輸送層、Ａｌｑ３を電子輸送性発光層、ＧＺＯを上部透明電極として有する有機シート【００５５】（光透過性の評価）  得られた薄膜太陽電池１の光透過性を、薄膜太陽電池１を透過した光の照度として、分光放射計（携帯型分光放射計  ＭＳ−７２０、英弘精機株式会社製）にて測定し評価した。その結果を図９のグラフに示す。  図９に明らかなように、波長４５０ｎｍおよび６５０ｎｍ近傍の照度が高く、光透過性が良好であり、特に光合成に好適な、赤色波長帯域の光透過性に優れることが確認された。【００５６】（発電特性の評価）  得られた薄膜太陽電池１の発電特性を、直流電圧電流源モニタ（６２４１Ａ：ＡＤＣＭＴ）及びソーラーシミュレータ（（株）システムハウス・サンライズ：自動計測ソフトＧＰ−ＩＢライブラリ）を用いて、測定評価した。その結果を図１０のグラフに示す。  図１０は、図９において、光透過性を測定したのと同様の、実際の太陽光が照射下で測定した、薄膜太陽電池１の電流−電圧特性である。  また、図１０におけるのと同じ、実際の太陽光の照射下で測定した薄膜太陽電池１の特性を下記表１に示す。【００５７】
【表１】
2017126683.tif 000003
【００５８】（有機ＥＬシートの発光の評価）  得られた薄膜太陽電池１において、有機ＥＬシートの発光特性を以下の方法で評価した。  発光特性の評価に用いた測定装置は、電圧源及び電流計としてＡＤＣＭＴ  ６２４１Ａ、輝度計はコニカミノルタセンシング  ＬＳ−１００である。また、測定用ソフトとしてシステムハウス・サンライズＷ３２−Ｒ６２４３ＩＶＬ３−Ｒを使用した。  薄膜太陽電池１の輝度−電圧特性を表２に示す。  表２の結果より、薄膜太陽電池１は、前記表１に記載の有機薄膜太陽電池を用いることで、有機ＥＬシートを発光させることが可能であることがわかる。また、有機ＥＬシートは、夜間、雨天、曇天時等において、植物の育成に有用な太陽光の不足を補うに足る発光特性を持っていることがわかる。【００５９】
【表２】
2017126683.tif 000004
【００６０】（植物栽培への適用）  幅１５０ｃｍ、長さ２１０ｃｍ、高さ１９０ｃｍのモデルビニールハウスを作製し、得られた薄膜太陽電池１を、モデルビニールハウスの天面に配置した。  対照例として、同じサイズであり、天面に透明の塩化ビニルシートを配置した比較モデルビニールハウスを作製した。  モデルビニールハウスと比較モデルビニールハウスとを屋外に配置し、同じ条件にて、内部で葉物野菜であるサンチェを栽培した。４週間経過後にサンチェの生育状態を比較した。天面に実施例１の薄膜太陽電池１を設置したモデルビニールハウスを用いた場合、比較モデルビニールハウスを用いた場合に比べ、植物の生育がより順調であることが確認された。【００６１】［実施例２］  図１に示す層構成の実施例１の薄膜太陽電池１において、有機薄膜太陽電池シート１２を、以下の構成の太陽電池シート１２に代え、さらに、有機ＥＬシート１６の受光方向とは反対側に、下記波長変換部１８を備えた以外は、実施例１と同様にして、図３に示す層構成の、波長変換部１８を有する実施例２の有機薄膜太陽電池２を作製した。  太陽電池シート：有機薄膜太陽電池シート（ＩＴＯ透明電極付透明ＰＥＮフィルムに、ポリ（３−ヘキシルチオフェン）（Ｐ３ＨＴ）と、［６，６］フェニル−Ｃ６１−酪酸メチル（ＰＣＢＭ）とを混合したバルクヘテロ構造の発電層を作製後、ＧＺＯ透明電極を成膜した透明太陽電池シート）  波長変換部：ＢＡＳＦ社製のＬｕｍｏｇｅｎ  Ｒｅｄ  ３０５  を０．０２質量％含有するポリエチレンテレフタレート（ＰＥＴ）樹脂製の蛍光性フィルム【００６２】（光透過性の評価）  得られた薄膜太陽電池２の光透過性を、実施例１の薄膜太陽電池１と同様にして評価した。その結果を図１１のグラフに示す。  図１１に明らかなように、波長４５０ｎｍおよび６５０ｎｍ近傍の照度が大きく、光透過性が良好であり、特に光合成に好適な、赤色波長帯域の光透過性に優れ、その他の波長域よりも赤色波長帯域の光透過性がより大きいことが確認された。  また、図１１と図９との対比において、薄膜太陽電池が、波長変換部をさらに備えることで、植物の光合成に大きく寄与する波長帯域の光照射量がより向上することが分かる。
【産業上の利用可能性】
【００６３】  本実施形態の薄膜太陽電池は、太陽光の受光量に係わらず、所望の光環境を維持することができるため、植物育成工場、ビニールハウスなどの農作物育成施設、および鶏舎、畜舎、養殖池などの動物飼育施設への適用に好適である。【００６４】  ２０１６年１月２１日に出願された日本国特許出願２０１６−０１００５１の開示は参照により本明細書に取り込まれる。  本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【図１】
2017126683.tif 000005
【図２】
2017126683.tif 000006
【図３】
2017126683.tif 000007
【図４】
2017126683.tif 000008
【図５】
2017126683.tif 000009
【図６】
2017126683.tif 000010
【図７】
2017126683.tif 000011
【図８】
2017126683.tif 000012
【図９】
2017126683.tif 000013
【図１０】
2017126683.tif 000014
【図１１】
2017126683.tif 000015
【国際調査報告】
2017126683.tif 000016
2017126683.tif 000017